(57)【要約】【課題】容量値及びインダクタ値の困難な設定を排除でき、互いの帯域の特性に影響を及ぼすことのない４つの受信帯域を持つテレビジョン信号入力回路を実現すること。【解決手段】入力端子１に入力する連続する広帯域のテレビジョン信号を分岐して第１〜第４の入力マッチング回路２〜５に入力する入力回路において、直列接続した第１〜第３のコンデンサＣ１〜Ｃ３の各段に第１〜第４の入力マッチング回路２〜５を接続し、第２の入力マッチング回路３のインダクタＬ３，Ｌ４を第３の入力マッチング回路４で兼用し、第４の入力マッチング回路５の入力端は第１及び第２のコンデンサＣ１，Ｃ２の直列接続容量を介して第１及び第２の入力マッチング回路２，３に接続する。【選択図】図１
2008270973.tif 000002
【特許請求の範囲】
【請求項１】
テレビジョン信号が入力する入力端子と、
第１、第２、第３のコンデンサが直列接続されてなり前記第１のコンデンサが前記入力端子に接続されたコンデンサ直列回路と、
前記入力端子に対して前記コンデンサ直列回路を介して入力端が接続され、前記テレビジョン信号の中から第１の帯域の周波数信号を伝送させる第１の入力マッチング回路と、
前記第２のコンデンサと前記第３のコンデンサとの接続点に入力端が接続され、前記テレビジョン信号の中から第１の帯域よりも低域側の第２の帯域の周波数信号を伝送させる第２の入力マッチング回路と、
前記第１のコンデンサと前記第２のコンデンサとの接続点に入力端が接続され、前記テレビジョン信号の中から第２の帯域よりも低域側の第３の帯域の周波数信号を伝送させる第３の入力マッチング回路と、
前記入力端子と前記第１のコンデンサとの接続点に入力端が接続され、前記テレビジョン信号の中から第３の帯域よりも低域側の第４の帯域の周波数信号を伝送させる第４の入力マッチング回路と、を備え、
前記第３のコンデンサの容量値を、前記第２の入力マッチング回路の入力端から前記第１の入力マッチング回路を見たときに、前記第２の帯域の周波数において影響のない大きなインピーダンスとなる容量値に設定し、
前記第１のコンデンサの容量値を、前記第４の入力マッチング回路の入力端から前記第１〜第３の入力マッチング回路を見たときに、前記第４の帯域の周波数において影響のない大きなインピーダンスとなる容量値に設定し、
前記第１及び第２のコンデンサの直列接続容量の値を、前記第４の入力マッチング回路の入力端から前記第１及び第２の入力マッチング回路を見たときに、前記第４の帯域の周波数において影響のない大きなインピーダンスとなる容量値に設定したことを特徴とするテレビジョン信号入力回路。
【請求項２】
前記第２の入力マッチング回路は、当該第２の入力マッチング回路の入力端とグラウンドとの間にインダクタを備え、
前記第２の入力マッチング回路のインダクタのインダクタンス値を、前記第１の入力マッチング回路の入力端から前記入力端子側を見たときに、前記第１の帯域の周波数において影響のない大きなインピーダンスとなるインダクタンス値に設定し、
前記第３の入力マッチング回路は、当該第３の入力マッチング回路の入力端が前記第２のコンデンサを介して前記第２の入力マッチング回路の前記インダクタ経由で接地され、前記第２の入力マッチング回路と前記インダクタを共用することを特徴とする請求項１記載のテレビジョン信号入力回路。
【請求項３】
前記第４の入力マッチング回路は、当該第４の入力マッチング回路の入力端とグラウンドとの間にインダクタを備え、
前記第４の入力マッチング回路の前記インダクタのインダクタンス値を、前記第３の入力マッチング回路の入力端から前記入力端子側を見たときに、前記第３の帯域の周波数において影響のない大きなインピーダンスとなるインダクタンス値に設定したことを特徴とする請求項１又は請求項２記載のテレビジョン信号入力回路。
【請求項４】
前記第１から第４の帯域は、連続した帯域であり、
前記第１の帯域の周波数帯域幅は、前記第２の帯域の周波数帯域幅の２倍であり、
前記第２の帯域の周波数帯域幅は、前記第３の帯域の周波数帯域幅の２倍であり、
前記第３の帯域の周波数帯域幅は、前記第４の帯域の周波数帯域幅の２倍であり、
前記第１及び第２のコンデンサの容量値を、前記第３のコンデンサの容量値の４倍としたことを特徴とする請求項１から請求項３の何れかに記載のテレビジョン信号入力回路。
【請求項５】
前記第１の帯域から前記第４の帯域は、ＶＨＦ帯からＵＨＦ帯までの連続した帯域であることを特徴とする請求項４記載のテレビジョン信号入力回路。
【発明の詳細な説明】
【技術分野】
【０００１】
本発明は、連続した広帯域であるテレビジョン信号の入力帯域を４つの帯域に分割して受信するためのテレビジョン信号入力回路に関する。
【背景技術】
【０００２】
従来、テレビジョン信号の入力帯域を、ＶＨＦハイバンド、ＶＨＦローバンド及びＵＨＦの３つの帯域に分割して受信するテレビジョン信号入力回路がある。かかるテレビジョン信号入力回路では、使用帯域側の回路に影響を及ぼさないようにするため、使用していない帯域側の回路を切り離すスイッチングダイオードが設けられている（例えば、特許文献１参照）。
【０００３】
図２は、連続した広帯域の入力帯域を４つの帯域に分割して受信するためのテレビジョン信号入力回路の構成例である。テレビジョン信号が入力する入力端子１００に対して第１から第４の入力マッチング回路１０１〜１０４が並列に接続され、各入力マッチング回路１０１〜１０４の入力段にスイッチングダイオード１０５〜１０８が逆方向に直列に介挿されている。第１の入力マッチング回路１０１は、一端が信号線路に接続され他端が接地されたインダクタ１０１ａと、一端が信号線路に接続され他端が接地された可変コンデンサ１０ｂと、信号線路側に接続されたインダクタ１０１ａの一端と可変コンデンサ１０ｂの一端との間に接続されたＬタップ１０１ｃとで構成される。他の入力マッチング回路１０２〜１０４も同様に構成されているが、第２及び第４の入力マッチング回路１０２、１０４は、入力端子１００に対してインダクタ１０８，１０９を介して接続されている。各入力マッチング回路１０１〜１０４の出力端には利得可変型の高周波増幅器１１１〜１１４が接続されている。
【０００４】
ところが、スイッチングダイオードはオフ時において容量を持つ。このため、図３に示すように信号経路とグラウンドとの間にスイッチングダイオード１０６の容量とマッチング用インダクタ１０２ａとで直列回路を構成し、使用している帯域側の回路特性に影響を与える問題があった。また、信号経路に設けられたスイッチングダイオード１０５〜１０８に対して信号レベルの大きいテレビジョン信号が印加された場合、スイッチングダイオード１０５〜１０８の特性が歪んでしまって所望の周波数特性が得られない問題がある。
【０００５】
なお、各帯域の入力端子と入力同調回路との間に容量及びインダクタ又はＬＣフィルタ回路を設けて、各周波数帯域に分岐させるテレビジョンチューナが提案されている（例えば、特許文献２参照）。図４に示すように、特許文献２記載のテレビジョンチューナは、テレビジョン信号の入力端子１２１に対して、ＶＨＦ帯の低域側帯域の各チャンネルに同調する第一の同調回路１２２と、ＶＨＦ帯の高域側帯域の各チャンネルに同調する第二の同調回路１２３と、ＵＨＦ帯域の各チャンネルに同調する第三の同調回路１２４とが並列に結合されている。各同調回路（１２２、１２３、１２４）は、インダクタ（１２２ａ，１２３ａ，１２４ａ）と可変容量素子（１２２ｂ，１２３ｂ，１２４ｂ）との並列共振回路で構成されている。入力端子１２１と第一の同調回路１２２との間にローパスフィルタ１２５を介挿し、入力端子１２１と第三の同調回路１２４との間にハイパスフィルタ１２６を介挿している。ローパスフィルタ１２５のカットオフ周波数を高域側の周波数帯よりも低くし、ハイパスフィルタ１２６のカットオフ周波数を高域側の周波数帯よりも高くしている。これにより、ＶＨＦ帯の低域側周波数帯または高域側周波数帯またはＵＨＦ帯のいずれかのテレビジョン信号の受信時にも他の帯域のテレビジョン信号による妨害を受けにくくなる。
【特許文献１】特開２００２−３０００６５号公報
【特許文献２】特開２００３−２４４５６７号公報
【発明の開示】
【発明が解決しようとする課題】
【０００６】
しかしながら、図２に示すように連続した広帯域であるテレビジョン信号の入力帯域を４つの帯域に分けて受信できるように構成する場合、特許文献２に示すようにローパスフィルタ及びハイパスフィルタを構成する容量及びインダクタの値を、それぞれの帯域において互いに影響を及ぼさない適切な値に設定することは極めて困難であった。
【０００７】
本発明は、かかる点に鑑みてなされたものであり、容量値及びインダクタ値の困難な設定を排除でき、互いの帯域の特性に影響を及ぼすことのない４つの受信帯域を持つテレビジョン信号入力回路を提供することを目的とする。
【課題を解決するための手段】
【０００８】
本発明のテレビジョン信号入力回路は、テレビジョン信号が入力する入力端子と、第１、第２、第３のコンデンサが直列接続されてなり前記第１のコンデンサが前記入力端子に接続されたコンデンサ直列回路と、前記入力端子に対して前記コンデンサ直列回路を介して入力端が接続され、前記テレビジョン信号の中から第１の帯域の周波数信号を伝送させる第１の入力マッチング回路と、前記第２のコンデンサと前記第３のコンデンサとの接続点に入力端が接続され、前記テレビジョン信号の中から第１の帯域よりも低域側の第２の帯域の周波数信号を伝送させる第２の入力マッチング回路と、前記第１のコンデンサと前記第２のコンデンサとの接続点に入力端が接続され、前記テレビジョン信号の中から第２の帯域よりも低域側の第３の帯域の周波数信号を伝送させる第３の入力マッチング回路と、前記入力端子と前記第１のコンデンサとの接続点に入力端が接続され、前記テレビジョン信号の中から第３の帯域よりも低域側の第４の帯域の周波数信号を伝送させる第４の入力マッチング回路とを備え、前記第３のコンデンサの容量値を、前記第２の入力マッチング回路の入力端から前記第１の入力マッチング回路を見たときに、前記第２の帯域の周波数において影響のない大きなインピーダンスとなる容量値に設定し、前記第１のコンデンサの容量値を、前記第４の入力マッチング回路の入力端から前記第１〜第３の入力マッチング回路を見たときに、前記第４の帯域の周波数において影響のない大きなインピーダンスとなる容量値に設定し、前記第１及び第２のコンデンサの直列接続容量の値を、前記第４の入力マッチング回路の入力端から前記第１及び第２の入力マッチング回路を見たときに、前記第４の帯域の周波数において影響のない大きなインピーダンスとなる容量値に設定したことを特徴とする。
【０００９】
この構成によれば、第１の入力マッチング回路により第１の帯域を伝送する場合は、第１の帯域よりも周波数の低い第２から第４の入力マッチング回路はインダクタンス値が大きいために影響を無視できる。第２の入力マッチング回路により第２の帯域を伝送する場合は、第１の入力マッチング回路は第３のコンデンサの容量値により大きなインピーダンスとなり影響を受けない状態となる。第３の入力マッチング回路により第３の帯域を伝送する場合は、第１の入力マッチング回路は第３のコンデンサの容量値により大きなインピーダンスとなり影響を受けない状態となる。第４の入力マッチング回路により第４の帯域を伝送する場合は、第１及び第２のコンデンサの直列接続容量により第１及び第２の入力マッチング回路側が大きなインピーダンスとなり影響を受けない状態となる。よって、容量値及びインダクタ値の困難な設定を伴わずに、互いの帯域の特性に影響を及ぼすことのない４つの帯域設定が可能となる。
【００１０】
また本発明は、上記テレビジョン信号入力回路において、前記第２の入力マッチング回路は、当該第２の入力マッチング回路の入力端とグラウンドとの間にインダクタを備え、前記第２の入力マッチング回路のインダクタのインダクタンス値を、前記第１の入力マッチング回路の入力端から前記入力端子側を見たときに、前記第１の帯域の周波数において影響のない大きなインピーダンスとなるインダクタンス値に設定し、前記第３の入力マッチング回路は、当該第３の入力マッチング回路の入力端が前記第２のコンデンサを介して前記第２の入力マッチング回路の前記インダクタ経由で接地され、前記第２の入力マッチング回路と前記インダクタを共用することを特徴とする。
【００１１】
この構成により、第１の入力マッチング回路で第１の帯域の周波数を伝送する場合、第２及び第３の入力マッチング回路は第１の入力マッチング回路からみて大きなインピーダンスとなるので、高周波的に切り離すことができる。
【００１２】
また本発明は、上記テレビジョン信号入力回路において、前記第４の入力マッチング回路は、当該第４の入力マッチング回路の入力端とグラウンドとの間にインダクタを備え、前記第４の入力マッチング回路の前記インダクタのインダクタンス値を、前記第３の入力マッチング回路の入力端から前記入力端子側を見たときに、前記第３の帯域の周波数において影響のない大きなインピーダンスとなるインダクタンス値に設定したことを特徴とする。
【００１３】
この構成により、第３の入力マッチング回路で第３の帯域の周波数を伝送する場合、第１のマッチング回路は第３のコンデンサの容量値により高インピーダンスとされて切り離され、第４の入力マッチング回路はインダクタのインダクタンス値により第３の帯域の周波数において影響のない大きなインピーダンスとなるので、第４の入力マッチング回路も切り離される。
【００１４】
上記テレビジョン信号入力回路において、前記第１から第４の帯域は、連続した帯域であり、前記第１の帯域の周波数帯域幅は、前記第２の帯域の周波数帯域幅の２倍であり、前記第２の帯域の周波数帯域幅は、前記第３の帯域の周波数帯域幅の２倍であり、前記第３の帯域の周波数帯域幅は、前記第４の帯域の周波数帯域幅の２倍であり、前記第１及び第２のコンデンサの容量値を、前記第３のコンデンサの容量値の４倍とすることができる。
【００１５】
また、上記テレビジョン信号入力回路において、前記第１の帯域から前記第４の帯域は、ＶＨＦ帯からＵＨＦ帯までの連続した帯域である。
【発明の効果】
【００１６】
本発明によれば、容量値及びインダクタ値の困難な設定を排除でき、互いの帯域の特性に影響を及ぼすことのない４つの受信帯域を持つテレビジョン信号入力回路を実現できる。
【発明を実施するための最良の形態】
【００１７】
以下、本発明の実施の形態について添付図面を参照して詳細に説明する。
図１は本発明の一実施の形態に係るテレビジョン信号入力回路の構成図である。本実施の形態に係るテレビジョン信号入力回路は、入力帯域が連続した広帯域のテレビジョン信号が入力される入力端子１に対して、連続した入力帯域を４つの帯域に分けて受信する第１〜第４の入力マッチング回路２〜５が並列に接続されている。第１〜第４の入力マッチング回路２〜５は、例えば５０ＭＨｚから８００ＭＨｚの入力帯域を４つの帯域に分けて受信するように構成されている。第１〜第４の入力マッチング回路２〜５は、順に受信帯域（同調周波数）の周波数が小さくなっている。本実施の形態では、第１の入力マッチング回路２の同調周波数に相当する第１の帯域（Ｂａｎｄ１）を４００ＭＨｚ〜８００ＭＨｚ、第２の入力マッチング回路３の同調周波数に相当する第２の帯域（Ｂａｎｄ２）を２００ＭＨｚ〜４００ＭＨｚ、第３の入力マッチング回路４の同調周波数に相当する第３の帯域（Ｂａｎｄ３）を１００ＭＨｚ〜２００ＭＨｚ、第４の入力マッチング回路５の同調周波数に相当する第４の帯域（Ｂａｎｄ４）を５０ＭＨｚ〜１００ＭＨｚに設定する。本実施の形態では、テレビジョン信号のＶＨＦ帯からＵＨＦ帯までの連続した帯域を４つの帯域に分けるものとするが、連続した広帯域を４つの帯域に分けるのであれば、５０ＭＨｚ〜８００ＭＨｚの範囲に限定されない。
【００１８】
入力端子１と第１の入力マッチング回路２の入力端との間に第１、第２、第３のコンデンサＣ１，Ｃ２，Ｃ３が直列に接続されている。また、第１〜第４の入力マッチング回路２〜５の各出力端には、利得可変型の高周波増幅回路６〜９が直流カットコンデンサ１１〜１４を介して高周波的にそれぞれ接続されている。
【００１９】
第1の入力マッチング回路２は、第３のコンデンサＣ３と直流カットコンデンサ１１との間の信号線路上に介挿されたインピーダンス調整用のインダクタＬ１と、インダクタＬ１と第３のコンデンサＣ３との接続点に一端が接続され他端が接地されたインダクタＬ２と、インダクタＬ１と直流カットコンデンサ１１との接続点に一端が接続され他端が接地された可変容量素子Ｃ１１とで構成されている。インダクタＬ１及びＬ２と可変容量素子Ｃ１１とで構成される同調回路の同調周波数は、主にインダクタＬ１及びＬ２のインダクタ値と可変容量素子Ｃ１の容量値とで決まる。
【００２０】
第２の入力マッチング回路３は、第２のコンデンサＣ２と第３のコンデンサＣ３との接続点から分岐された信号線路に接続されている。第２のコンデンサＣ２と第３のコンデンサＣ３との接続点にインダクタＬ３を直列に介して第２の入力マッチング回路３の入力端が接続されている。第２の入力マッチング回路３は、インダクタＬ３と直流カットコンデンサ１２との間の信号線路上に介挿されたインピーダンス調整用のインダクタＬ５と、インダクタＬ３とインダクタＬ５との接続点に一端が接続され他端が接地されたインダクタＬ４と、インダクタＬ５と直流カットコンデンサ１１との接続点に一端が接続され他端が接地された可変容量素子Ｃ１２とで構成されている。インダクタＬ４及びＬ５と可変容量素子Ｃ１２とで構成される同調回路の同調周波数は、主にインダクタＬ４及びＬ５のインダクタ値と可変容量素子Ｃ１２の容量値とで決まる。
【００２１】
第３の入力マッチング回路４は、第１のコンデンサＣ１と第２のコンデンサＣ２との接続点から分岐された信号線路に接続されている。第１のコンデンサＣ１と第２のコンデンサＣ２との接続点にインピーダンス調整用のインダクタＬ６の一端が接続されている。インダクタＬ６の他端は直流カットコンデンサ１３に接続されている。インダクタＬ６と直流カットコンデンサ１３との接続点に可変容量素子Ｃ１３の一端が接続され、可変容量素子Ｃ１３の他端は接地されている。第３の入力マッチング回路４は、インダクタＬ６のもう一方の端部が第２のコンデンサＣ２及びインダクタＬ３を経由して第２の入力マッチング回路３の一部を構成するインダクタＬ４に接続されている。すなわち、第３の入力マッチング回路４は、第２の入力マッチング回路３のインダクタＬ３及びＬ４とＬタップとなるインダクタＬ６及び可変容量素子Ｃ１３から同調回路を構成している。
【００２２】
第４の入力マッチング回路４は、入力端子１と第１のコンデンサＣ２との接続点から分岐された信号線路に接続されている。入力端子１と第１のコンデンサＣ１との接続点にインダクタＬ７を直列に介して第４の入力マッチング回路５の入力端が接続されている。第４の入力マッチング回路５は、インダクタＬ７と直流カットコンデンサ１４との間の信号線路上に介挿されたインピーダンス調整用のインダクタＬ９と、インダクタＬ９とインダクタＬ７との接続点に一端が接続され他端が接地されたインダクタＬ８と、インダクタＬ９と直流カットコンデンサ１４との接続点に一端が接続され他端が接地された可変容量素子Ｃ１４とで構成されている。インダクタＬ８及びＬ９と可変容量素子Ｃ１４とで構成される同調回路の同調周波数は、主にインダクタＬ８及びＬ９のインダクタ値と可変容量素子Ｃ１４の容量値とで決まる。
【００２３】
ここで、本実施の形態において使用している帯域側の回路と使用していない帯域側の回路とがどのように切り離されているか説明する。
【００２４】
先ず、第1〜第３のコンデンサＣ１〜Ｃ３に設定される容量値について説明する。第1のコンデンサＣ１は、第4の入力マッチング回路５の入力端から第1〜第３の入力マッチング回路２〜４を見たときに、第４の帯域（Ｂａｎｄ４）の周波数において影響のない大きなインピーダンスとなるような容量値に設定することが望ましい。特に、第１及び第２のコンデンサＣ１，Ｃ２の直列接続容量値を、第４の入力マッチング回路５の入力端から第１及び第２の入力マッチング回路２，３を見たときに、第４の帯域（Ｂａｎｄ４）の周波数において影響のない大きなインピーダンスとなるような容量値に設定している。また、第３のコンデンサＣ３は、第２の入力マッチング回路３の入力端から第1の入力マッチング回路２を見たときに、第２の帯域（Ｂａｎｄ２）の周波数において影響のない大きなインピーダンスとなるような容量値に設定している。本実施の形態では、第１および第２のコンデンサＣ１，Ｃ２の容量を第３のコンデンサＣ３の４倍に設定した。具体的には、第１のコンデンサＣ１の容量値を２０ｐＦ、第３のコンデンサＣ３の容量値を５ｐＦに設定している。第２のコンデンサＣ２の容量値は２０ｐＦとした。
【００２５】
次に、第２及び第４の入力マッチング回路３，５における入力端とグラウンドとの間に設けたインダクタＬ４，Ｌ８に設定されるインダクタ値について説明する。第２の入力マッチング回路３の入力端とグラウンドとの間に設けたインダクタＬ４は、第１の入力マッチング回路２の入力端から第２の入力マッチング回路３の入力端側を見たときに、第１の帯域（Ｂａｎｄ１）の周波数において影響のない大きなインピーダンスとなるようなインダクタンス値に設定する。また、第４の入力マッチング回路５の入力端とグラウンドとの間に設けたインダクタＬ８は、第３の入力マッチング回路４の入力端から第４の入力マッチング回路５の入力端側を見たときに、第３の帯域（Ｂａｎｄ３）の周波数において影響のない大きなインピーダンスとなるようなインダクタンス値に設定する。
【００２６】
次に、以上のように構成された本実施の形態の動作について説明する。
第１の入力マッチング回路２を使用して第１の帯域（４００ＭＨｚ〜８００ＭＨｚ）を受信する場合、高周波増幅回路６をオンする一方で、使用しない他の帯域の高周波増幅回路７〜９をオフさせる。このとき、第２〜第４の入力マッチング回路３〜５が接続されているが、第１の帯域（４００ＭＨｚ〜８００ＭＨｚ）の高周波信号にとって他の帯域（５０ＭＨｚから４００ＭＨｚ）で共振するように設定されたインダクタＬ４，６，８等はインダクタ値が非常に大きいため、無視することができる。したがって、入力端子１に入力されたテレビジョン信号の中から第１の帯域の高周波信号が第１の入力マッチング回路２を通過して高周波増幅回路６へ供給される。
【００２７】
第２の入力マッチング回路３を使用して第２の帯域（２００ＭＨｚ〜４００ＭＨｚ）を受信する場合、高周波増幅回路７をオンする一方で、使用しない他の帯域の高周波増幅回路６、８、９をオフさせる。このとき、第２の入力マッチング回路３の入力端は第３のコンデンサＣ３を介して第１の入力マッチング回路２に接続される。第３のコンデンサＣ３の容量値は、第２の入力マッチング回路３の入力端から第１の入力マッチング回路２を見たときに、第２の帯域の周波数において影響のない大きなインピーダンスとなるように小さな値（５ｐＦ）としたので、第１の入力マッチング回路２側の影響は受けない。また、第２の帯域（２００ＭＨｚ〜４００ＭＨｚ）の高周波信号にとって第３及び第４の帯域（５０ＭＨｚから２００ＭＨｚ）で共振するように設定されたインダクタＬ６，８等はインダクタ値が非常に大きいため、無視することができる。したがって、入力端子１に入力されたテレビジョン信号の中から第２の帯域の高周波信号が、他の帯域の入力マッチング回路からの影響を受けることなく、第２の入力マッチング回路３を通過して高周波増幅回路７へ供給される。
【００２８】
第３の入力マッチング回路４を使用して第３の帯域（１００ＭＨｚ〜２００ＭＨｚ）を受信する場合、高周波増幅回路８をオンする一方で、使用しない他の帯域の高周波増幅回路６、７、９をオフさせる。本実施の形態では、第３の入力マッチング回路４は、第２のコンデンサＣ２を介して接続された第２の入力マッチング回路３のインダクタＬ３，Ｌ４を使用して共振する。第２のコンデンサＣ２はインダクタＬ３，Ｌ４との関係でＬ性となるように容量値が設定される。また、第３の帯域（１００ＭＨｚ〜２００ＭＨｚ）の高周波信号にとって第４の帯域（５０ＭＨｚ〜１００ＭＨｚ）で共振するように設定されたインダクタＬ７，Ｌ８等はインダクタ値が非常に大きいため、無視することができる。したがって、入力端子１に入力されたテレビジョン信号の中から第３の帯域の高周波信号が、他の帯域の入力マッチング回路からの影響を受けることなく、第３の入力マッチング回路４を通過して高周波増幅回路８へ供給される。
【００２９】
第４の入力マッチング回路５を使用して第４の帯域（５０ＭＨｚ〜１００ＭＨｚ）を受信する場合、高周波増幅回路９をオンする一方で、使用しない他の帯域の高周波増幅回路６〜８をオフさせる。このとき、第４の入力マッチング回路５の入力端に接続された第１及び第２の入力マッチング回路２，３は、第１及び第２のコンデンサＣ１，Ｃ２の直列接続容量を介してインダクタＬ２又はインダクタＬ４経由で接地される。直列接続された第１及び第２のコンデンサＣ１，Ｃ２の容量は半分の１０ｐＦとなるので、第４の入力マッチング回路５の入力端から第１及び第２の入力マッチング回路２，３を見たときに、第４の帯域（Ｂａｎｄ４）の周波数において影響のない大きなインピーダンスとなる。したがって、入力端子１に入力されたテレビジョン信号の中から第４の帯域の高周波信号が、他の帯域の入力マッチング回路からの影響を受けることなく、第４の入力マッチング回路５を通過して高周波増幅回路９へ供給される。
【００３０】
このように本実施の形態によれば、直列接続した第１〜第３のコンデンサＣ１〜Ｃ３の各段に第１〜第４の入力マッチング回路２〜５を接続し、第２の入力マッチング回路３のインダクタＬ３，Ｌ４を第３の入力マッチング回路４で兼用し、第４の入力マッチング回路５の入力端は第１及び第２のコンデンサＣ１，Ｃ２の直列接続容量を介して第１及び第２の入力マッチング回路２，３に接続するようにしたので、容量値及びインダクタ値の困難な設定を排除でき、互いの帯域の特性に影響を及ぼすことのない４つの受信帯域を持つテレビジョン信号入力回路を実現できる。
【産業上の利用可能性】
【００３１】
本発明は、テレビジョン信号の連続する広帯域を４つの帯域に分けて受信するテレビジョンチューナの入力回路に適用可能である。
【図面の簡単な説明】
【００３２】
【図１】本発明の一実施の形態に係るテレビジョン信号入力回路の構成図
【図２】テレビジョン信号の連続する広帯域を４つの帯域に分けて受信する従来のテレビジョン信号入力回路の構成図
【図３】図２の回路構成においてスイッチングダイオードオフ時に形成される直列共振回路を示す図
【図４】スイッチングダイオードを排除した従来のテレビジョン信号入力回路の構成図
【符号の説明】
【００３３】
１…入力端子
２…第１の入力マッチング回路
３…第２の入力マッチング回路
４…第３の入力マッチング回路
５…第４の入力マッチング回路
６〜９…高周波増幅回路
１１〜１４…直流カットコンデンサ
Ｃ１…第１のコンデンサ
Ｃ２…第２のコンデンサ
Ｃ３…第３のコンデンサ
Ｌ１〜Ｌ９…インダクタ
Ｃ１１〜Ｃ１４…可変容量素子
【図１】
2008270973.tif 000003
【図２】
2008270973.tif 000004
【図３】
2008270973.tif 000005
【図４】
2008270973.tif 000006